(57)【要約】【課題】  小さい表示領域でテレビ放送に関連するデータ放送があることを確認することができるとともに、テレビ放送に関連するデータ放送の内容をユーザが容易に確認できるデジタルテレビ放送システム及び携帯電話機を提供することを目的とする。【解決手段】  テレビ放送に関連するデータ放送があることを表す文字列を誘導情報として横長表示状態のピクト表示領域２１にマーキー表示させる。誘導情報の表示中に縦長表示状態へ切り替えられた場合には、データ放送表示領域２５には、誘導情報に対応するページデータを表示させる。これにより、マーキー表示された誘導情報からテレビ放送に関連するデータ放送があることを確認することができるとともに、縦長表示状態への切替により、横長表示状態で表示されていた誘導情報に対応するページデータが自動的に選択されるので、テレビ放送に関連するデータ放送の内容を容易に確認できる。【選択図】  図１９
2008178065.tif 000002
【特許請求の範囲】
【請求項１】
表示画面を備え、上記表示画面を第１の表示状態及び第２の表示状態に切替可能な携帯電話機であって、
テレビ放送用データ及びデータ放送用データを含むデジタルテレビ放送波を受信するデジタルテレビ放送受信手段と、
受信したテレビ放送用データに基づいて、テレビ画像を生成するテレビ画像生成手段と、
受信したデータ放送用データに基づいて、それぞれグループ化された文字列からなり、第１の表示状態の上記表示画面の一部に切り替えて表示可能な複数のページデータを含むコンテンツデータを生成するコンテンツデータ生成手段と、
受信したデータ放送用データに基づいて、上記コンテンツデータの誘導情報を生成する誘導情報生成手段と、
上記第１の表示状態及び上記第２の表示状態のときに、上記表示画面にテレビ画像を表示するテレビ画像表示制御手段と、
上記第２の表示状態のときに、上記誘導情報を上記表示画面の一部に表示させる誘導情報表示制御手段と、
上記誘導情報の表示中に上記表示画面が第２の表示状態から第１の表示状態へ切り替えられたときに、上記複数のページデータのうち、切替時に第２の表示状態で表示されていた上記誘導情報に対応するページデータを上記表示画面の一部に表示させるコンテンツデータ表示制御手段とを備えたことを特徴とする携帯電話機。
【請求項２】
上記誘導情報が、上記第２の表示状態の上記表示画面に表示するための専用の文字列であり、
上記コンテンツデータ表示制御手段は、上記第１の表示状態のときに上記専用の文字列を上記表示画面に表示させないことを特徴とする請求項１に記載の携帯電話機。
【請求項３】
上記誘導情報が、上記第２の表示状態の上記表示画面に表示するための専用のマークからなる文字列であり、
上記コンテンツデータ表示制御手段は、上記第１の表示状態のときに上記専用のマークを上記表示画面に表示させないことを特徴とする請求項１に記載の携帯電話機。
【請求項４】
上記表示画面は、長方形であって、上記第１の表示状態としての縦長表示状態及び上記第２の表示状態としての横長表示状態に切替可能であり、
上記テレビ画像表示制御手段は、上記縦長表示状態のときに、上記表示画面の長手方向を上下方向としてテレビ画像を表示し、上記横長表示状態のときに、上記表示画面の短手方向を上下方向としてテレビ画像を表示することを特徴とする請求項１から３のいずれかに記載の携帯電話機。
【請求項５】
第２の表示状態で表示されていた上記誘導情報に対応するコンテンツデータを、上記誘導情報が表示されている第２の表示状態の上記表示画面から第１の表示状態の上記表示画面へ切り替えたときに第１の表示状態の表示画面に表示させるか否かを選択する表示選択手段を備えることを特徴とする請求項１から４のいずれかに記載の携帯電話機。
【請求項６】
テレビ放送用データ及びデータ放送用データを含むデジタルテレビ放送波を送信するデジタルテレビ放送送信装置と、上記デジタルテレビ放送波を受信する携帯電話機とを備え、
上記携帯電話機は、
縦長表示状態及び横長表示状態に切替可能な長方形の表示画面と、
上記デジタルテレビ放送波を受信するデジタルテレビ放送受信手段と、
受信したテレビ放送用データに基づいて、テレビ画像を生成するテレビ画像生成手段と、
受信したデータ放送用データに基づいて、文字列を含むコンテンツデータを生成するコンテンツデータ生成手段と、
受信したデータ放送用データに基づいて、上記コンテンツデータの誘導情報を生成する誘導情報生成手段と、
上記縦長表示状態のときに、上記表示画面の長手方向を上下方向としてテレビ画像を表示し、上記横長表示状態のときに、上記表示画面の短手方向を上下方向としてテレビ画像を表示するテレビ画像表示制御手段と、
上記横長表示状態のときに、上記誘導情報を上記表示画面の一部に表示させる誘導情報表示制御手段と、
上記誘導情報の表示中に上記表示画面が横長表示状態から縦長表示状態へ切り替えられたときに、上記複数のページデータのうち、切替時に横長表示状態で表示されていた上記誘導情報に対応するページデータを上記表示画面の一部に表示させるコンテンツデータ表示制御手段とを備え、
上記デジタルテレビ放送送信装置は、上記誘導情報として専用の文字列または専用のマークを送信し、
上記誘導情報表示制御手段は、上記横長表示状態のときに、上記専用の文字列または専用のマークを上記誘導情報として上記表示画面に表示させ、
上記コンテンツデータ表示制御手段は、上記縦長表示状態のときに上記誘導情報を上記表示画面に表示させないことを特徴とするデジタルテレビ放送システム。
【発明の詳細な説明】
【技術分野】
【０００１】
本発明は、デジタルテレビ放送システム及び携帯電話機に係り、さらに詳しくは、テレビ放送を視聴することができる携帯電話機及びそれが適用されるデジタルテレビ放送システムの改良に関する。
【背景技術】
【０００２】
携帯電話機の中には、放送基地局から発信されているデジタルテレビ放送波を受信するためのアンテナを備え、デジタルテレビ放送波に基づいて表示画面にテレビ画像を表示するとともに、そのテレビ画像に対応するテレビ音声を出力することにより、テレビ放送を視聴することができるようになっているものがある。
【０００３】
この種の携帯電話機の一例としては、表示画面が長方形状に形成され、当該表示画面を縦長表示状態及び横長表示状態に切り替えることができるようになっているものがある。すなわち、上記縦長表示状態のときには、表示画面の長手方向を上下方向としてテレビ画像が表示され、上記横長表示状態のときには、表示画面の短手方向を上下方向としてテレビ画像が表示される。
【０００４】
一般的に、放送基地局から発信されているデジタルテレビ放送波に基づくテレビ画像は、縦幅に比べて横幅が長い横長のアスペクト比を有しているため、横長表示状態のときには、縦長表示状態と比べてテレビ画像をより大きく表示することができる。一方、縦長表示状態のときには、テレビ画像の横幅が表示画面の短手方向の長さに合わせて表示されるため、表示画面上にはテレビ画像を表示させるための領域以外に空き領域が生じる。そこで、この種の携帯電話機の中には、上記のような表示画面上の空き領域に、いわゆるデータ放送に基づくコンテンツデータを表示させることにより、表示領域を有効利用することができるようになっているものがある。
【０００５】
ここで、データ放送とは、デジタルテレビ放送波に基づくテレビ画像やテレビ音声とは別に、ニュースや天気といった各種コンテンツデータを伝送するシステムである（例えば、特許文献１及び２）。このデータ放送により伝送されるコンテンツデータの中には、受信しているデジタルテレビ放送波の番組に関連する情報を含んでいるものもある。したがって、受信しているデジタルテレビ放送波の番組のテレビ画像を表示画面に表示しつつ、その番組に関連する情報をデータ放送として表示画面に表示させることにより、ユーザは、テレビ放送の視聴中にデータ放送を利用して関連する情報を確認することができる。
【特許文献１】特開２００５−２８６９６６号公報
【特許文献２】特開２００５−２２３６４９号公報
【発明の開示】
【発明が解決しようとする課題】
【０００６】
横長表示状態でテレビ放送を視聴しているユーザは、テレビ画像を縦長表示状態よりも大きいサイズで見たいと考えている場合が多いため、横長表示状態の表示画面にデータ放送の内容を表示するための大きい表示領域を形成することは好ましくない。しかし、上述の通り、データ放送のコンテンツデータには視聴中のテレビ放送に関連する情報が含まれている場合がある。例えば、放送局が配信するコンテンツデータの内容が変更されたときや、視聴中のテレビ画像に関連したデータ放送の視聴を放送局がユーザに対して要望する場合である。このようなテレビ放送に関連する情報は、放送局からリアルタイムで送信されてくる。そして、このような情報は、ユーザが容易に確認できる構成とすることが望ましく、しかも、ユーザをこのような情報が得られるデータ放送に誘導できる構成とすることが望ましい。
【０００７】
本発明は、上記の事情に鑑みてなされたものであり、小さい表示領域でテレビ放送に関連するデータ放送があることを確認することができるとともに、テレビ放送に関連するデータ放送の内容をユーザが容易に確認できるデジタルテレビ放送システム及び携帯電話機を提供することを目的とする。
【課題を解決するための手段】
【０００８】
第１の本発明による携帯電話機は、表示画面を備え、上記表示画面を第１の表示状態及び第２の表示状態に切替可能な携帯電話機であって、テレビ放送用データ及びデータ放送用データを含むデジタルテレビ放送波を受信するデジタルテレビ放送受信手段と、受信したテレビ放送用データに基づいて、テレビ画像を生成するテレビ画像生成手段と、受信したデータ放送用データに基づいて、それぞれグループ化された文字列からなり、第１の表示状態の上記表示画面の一部に切り替えて表示可能な複数のページデータを含むコンテンツデータを生成するコンテンツデータ生成手段と、受信したデータ放送用データに基づいて、上記コンテンツデータの誘導情報を生成する誘導情報生成手段と、上記第１の表示状態及び上記第２の表示状態のときに、上記表示画面にテレビ画像を表示するテレビ画像表示制御手段と、上記第２の表示状態のときに、上記誘導情報を上記表示画面の一部に表示させる誘導情報表示制御手段と、上記誘導情報の表示中に上記表示画面が第２の表示状態から第１の表示状態へ切り替えられたときに、上記複数のページデータのうち、切替時に第２の表示状態で表示されていた上記誘導情報に対応するページデータを上記表示画面の一部に表示させるコンテンツデータ表示制御手段とを備えて構成される。
【０００９】
このような構成によれば、第２の表示状態の表示画面の一部に上記誘導情報が表示されるので、ユーザは、第２の表示状態の表示画面でテレビ画像を見ながら、小さい表示領域で誘導情報に対応したデータ放送があることを確認することができる。また、第２の表示状態の表示画面の一部に表示された誘導情報を確認したユーザが、その誘導情報に対応したデータ放送の内容を詳細に確認することを望む場合には、表示画面を第１の表示状態へ切り替えることにより、誘導情報に対応したデータ放送の内容を簡単に表示画面に表示することができる。このとき、上記誘導情報が表示されている第２の表示状態の上記表示画面から、第１の表示状態の表示画面に切り替えることにより、第１の表示状態の表示画面に切り替えて表示可能な複数のページデータのうち、第２の表示状態のときに表示されていた誘導情報に対応するページデータが第１の表示状態の表示画面に自動的に表示されるので、誘導情報に対応したデータ放送の内容をユーザが容易に確認できる。なお、誘導情報を得る手段としては、所定のコンテンツデータに誘導させるためのメッセージＩＤを有するイベントメッセージを利用し、このイベントメッセージで指定される文字列やマークなどを誘導情報として第２の表示状態の表示画面に表示させることができる。
【００１０】
第２の本発明による携帯電話機は、上記構成に加えて、上記誘導情報が、上記第２の表示状態の上記表示画面に表示するための専用の文字列であり、上記コンテンツデータ表示制御手段は、上記第１の表示状態のときに上記専用の文字列を上記表示画面に表示させないように構成される。
【００１１】
このような構成によれば、コンテンツデータに含まれる文字列のうち、誘導情報として専用の文字列のみを第２の表示状態の表示画面の一部に表示させることができる。したがって、上記専用の文字列を適宜に設定することにより、テレビ放送に関連するデータ放送がある旨又はテレビ放送に関連するデータ放送の内容をユーザが確認しやすい文字列で表示させることができる。そして、誘導情報として専用の文字列を第２の表示状態の表示画面の一部に表示させることによりユーザはテレビ放送に関連するデータ放送がある旨又はテレビ放送に関連するデータ放送の内容を容易に確認することができる。このとき、表示された文字列だけではテレビ放送に関連するデータ放送の内容を十分に理解できない場合には、表示画面を第２の表示状態から第１の表示状態へ切り替えて、テレビ放送に関連するデータ放送の内容をより詳細に確認することができる。
【００１２】
第３の本発明による携帯電話機は、上記構成に加えて、上記誘導情報が、上記第２の表示状態の上記表示画面に表示するための専用のマークであり、上記コンテンツデータ表示制御手段は、上記第１の表示状態のときに上記専用のマークを上記表示画面に表示させないように構成される。
【００１３】
このような構成によれば、コンテンツデータに含まれる文字列のうち、誘導情報として専用のマークのみを第２の表示状態の表示画面の一部に表示させることができる。したがって、上記専用のマークを第２の表示状態の表示画面の一部に表示させることにより、テレビ放送に関連するデータ放送がある旨をユーザが確認できる。このとき、表示された文字列だけではテレビ放送に関連するデータ放送の内容を十分に理解できない場合には、表示画面を第２の表示状態から第１の表示状態へ切り替えて、テレビ放送に関連するデータ放送の内容をより詳細に確認することができる。なお、第２の表示状態の表示画面の一部に表示させる誘導情報は、専用のマークと専用の文字列とを併記することもできる。
【００１４】
第４の本発明による携帯電話機は、上記構成に加えて、上記表示画面が、長方形であって、上記第１の表示状態としての縦長表示状態及び上記第２の表示状態としての横長表示状態に切替可能であり、上記テレビ画像表示制御手段が、上記縦長表示状態のときに、上記表示画面の長手方向を上下方向としてテレビ画像を表示し、上記横長表示状態のときに、上記表示画面の短手方向を上下方向としてテレビ画像を表示するように構成される。
【００１５】
このような構成によれば、横長表示状態の表示画面の一部に誘導情報が表示されるので、ユーザは、横長表示状態の表示画面で大きなテレビ画像を見ながら、小さい表示領域でテレビ放送に関連するデータ放送がある旨を確認することができるとともに、表示画面を横長表示状態から縦長表示状態へ切り替えることにより、テレビ放送に関連するデータ放送の内容をユーザが容易に確認できる。
【００１６】
第５の本発明による携帯電話機は、上記構成に加えて、第２の表示状態で表示されていた上記誘導情報に対応するコンテンツデータを、上記誘導情報が表示されている第２の表示状態の上記表示画面から第１の表示状態の上記表示画面へ切り替えたときに第１の表示状態の表示画面に表示させるか否かを選択する表示選択手段を備えるように構成される。
【００１７】
このような構成によれば、ユーザは、上記誘導情報に対応するコンテンツデータを第１の表示状態の表示画面に表示させたい場合には、上記表示選択手段で誘導情報に対応したコンテンツデータを表示するように選択することができる。また、ユーザが、上記誘導情報に対応するコンテンツデータを第１の表示状態の表示画面に表示させたくない場合には、上記表示選択手段で誘導情報に対応したコンテンツデータを表示しないように選択することができる。従って、ユーザの希望に応じて、誘導情報を有するコンテンツデータを第１の表示状態の表示画面に表示させたり、または、表示させないようにすることができる。
【００１８】
上記表示選択手段としては、例えば、携帯電話機の補助機能設定メニューを用いて、更新情報を有するコンテンツデータを表示するかどうかをＯＮ・ＯＦＦで設定できるようにしたり、第２の表示状態の上記表示画面から、第１の表示状態の上記表示画面へ移行したときに、コンテンツデータを表示する前に、第１の表示状態の上記表示画面に誘導情報を有するコンテンツデータを表示するか否かの選択画面を表示させるようにすることが挙げられる。
【００１９】
第６の本発明によるデジタルテレビ放送システムは、テレビ放送用データ及びデータ放送用データを含むデジタルテレビ放送波を送信するデジタルテレビ放送送信装置と、上記デジタルテレビ放送波を受信する携帯電話機とを備え、上記携帯電話機は、縦長表示状態及び横長表示状態に切替可能な長方形の表示画面と、上記デジタルテレビ放送波を受信するデジタルテレビ放送受信手段と、受信したテレビ放送用データに基づいて、テレビ画像を生成するテレビ画像生成手段と、受信したデータ放送用データに基づいて、文字列を含むコンテンツデータを生成するコンテンツデータ生成手段と、受信したデータ放送用データに基づいて、上記コンテンツデータの誘導情報を生成する誘導情報生成手段と、上記縦長表示状態のときに、上記表示画面の長手方向を上下方向としてテレビ画像を表示し、上記横長表示状態のときに、上記表示画面の短手方向を上下方向としてテレビ画像を表示するテレビ画像表示制御手段と、上記横長表示状態のときに、上記誘導情報を上記表示画面の一部に表示させる誘導情報表示制御手段と、上記誘導情報の表示中に上記表示画面が横長表示状態から縦長表示状態へ切り替えられたときに、上記複数のページデータのうち、切替時に横長表示状態で表示されていた上記誘導情報に対応するページデータを上記表示画面の一部に表示させるコンテンツデータ表示制御手段とを備え、上記デジタルテレビ放送送信装置は、上記誘導情報として専用の文字列または専用のマークを送信し、上記誘導情報表示制御手段は、上記横長表示状態のときに、上記専用の文字列または専用のマークを上記誘導情報として上記表示画面に表示させ、上記コンテンツデータ表示制御手段は、上記縦長表示状態のときに上記誘導情報を上記表示画面に表示させないように構成される。なお、上記デジタルテレビ放送送信装置が送信する誘導情報は、専用のマークと専用の文字列の双方を送信することもできる。さらに、上記誘導情報表示制御手段は、第２の表示状態の表示画面の一部に、専用のマークと専用の文字列とを有する誘導情報を表示することもできる。
【発明の効果】
【００２０】
本発明によれば、第２の表示状態の表示画面の一部にテレビ放送に関連するデータ放送があることをユーザに誘導させる誘導情報が表示されるので、ユーザは、第２の表示状態の表示画面でテレビ画像を見ながら、小さい表示領域でテレビ放送に関連するデータ放送があることを確認することができる。
【００２１】
また、第１の表示状態の表示画面に切り替えて表示可能な複数のページデータのうち、第２の表示状態のときに表示されていた誘導情報に対応するページデータが表示画面に自動的に表示されるので、テレビ放送に関連するデータ放送をユーザが容易に確認できる。
【発明を実施するための最良の形態】
【００２２】
実施の形態１．
図１は、本発明の実施の形態１による携帯電話機１の一例を示した斜視図であり、筐体を展開した状態を示している。この携帯電話機１は、いわゆる折り畳み式の携帯電話機であり、それぞれ直方体形状からなる表示筐体２及び操作筐体５がヒンジ部３を介して連結され、表示筐体２及び操作筐体５の各主面を対向させた状態で折り畳むことができるようになっている。
【００２３】
表示筐体２には、折り畳んだ状態で操作筐体５に対向する主面に、表示部２ａ及び受話用レシーバ８が配置されている。表示部２ａは、長方形の表示画面を有する液晶表示器からなり、その長手方向が表示筐体２の長手方向と一致するように配置されている。受話用レシーバ８は、通話時に相手方電話機からの音声を出力するための音声出力手段であり、表示筐体２におけるヒンジ部３と反対側の端部に配置されている。
【００２４】
操作筐体５には、折り畳んだ状態で表示筐体２に対向する主面に、操作部４及び送話用マイクロホン７が配置されている。操作部４は、複数の操作キーからなる入力手段であり、この操作部４を用いて選択操作や決定操作を行うことができる。送話用マイクロホン７は、通話時にユーザの音声を入力する音声入力手段であり、操作筐体５におけるヒンジ部３と反対側の端部に配置されている。
【００２５】
ヒンジ部３は、表示筐体２及び操作筐体５を各主面が対向するように折り畳み可能に連結している。また、ヒンジ部３は、操作筐体５に対して回動可能に連結される連結部３ａと、表示筐体２の外面に対向して配置され、表示筐体２を水平な面内で回転可能に保持する矩形板状の保持部３ｂとが一体に形成されて構成される。表示筐体２は、その外面がヒンジ部３の保持部３ｂの平面に対向したまま、表示部２ａの表示画面に垂直な回転軸（図示せず）を中心にして保持部３ｂの平面部分に回転可能に連結されている。これにより、表示筐体２は、保持部３ｂにおける表示部２ａの表示画面に水平な面内で回転可能に保持され、操作筐体５に対する傾斜角度を保った状態で回転できるようになっている。
【００２６】
図２は、図１の携帯電話機１の表示筐体２を回転させた状態を示した斜視図であり、正面から見て図１の状態から時計回りに約４５°回転させた状態を示している。図３は、図１の携帯電話機１の表示筐体２を回転させた状態を示した斜視図であり、正面から見て図１の状態から時計回りに９０°回転させた状態を示している。
【００２７】
ユーザは、操作筐体５を把持した状態で、表示筐体２を表示部２ａの表示画面に水平な面内において９０°の角度範囲内で回転させることにより、図１に示した縦長表示状態と図３に示した横長表示状態とに切り替えることができる。図１に示した縦長表示状態における表示部２ａの表示画面には、その長手方向を上下方向として画像が表示される。一方、図３に示した横長表示状態における表示部２ａの表示画面には、その短手方向を上下方向として画像が表示される。
【００２８】
図４は、この携帯電話機１が適用されるデジタルテレビ放送システムの電気的構成の一例を示したブロック図である。この携帯電話機１は、プロセッサからなる制御部６、並びに、この制御部６によりそれぞれ制御可能な表示部２ａ、操作部４、送話用マイクロホン７、受話用レシーバ８、スピーカ９、セルラー通信部１０、デジタルテレビ放送受信部１１、回転検出センサ１２及びメモリ１３を備えている。
【００２９】
セルラー通信部１０は、通信用アンテナ１０ａを介して無線基地局１００との間で電波を送受信することにより、通話音の送受信を行う。相手方電話機との間で通信状態が確立された状態では、ユーザの通話音に基づく音声信号がセルラー通信部１０から送信され、相手方電話機からの通話音に基づく音声信号がセルラー通信部１０で受信されることにより、通話音の送受信が行われる。
【００３０】
デジタルテレビ放送受信部１１は、テレビ放送受信用アンテナ１１ａを介して、放送基地局２００から発信されているデジタルテレビ放送波を受信する。放送基地局２００から発信されるデジタルテレビ放送波は、一般のデジタルハイビジョン放送波の一定帯域に割り当てられた携帯電話機向けの１セグメント放送波であり、テレビ画像２０１及びテレビ音声２０２を含むテレビ放送用データの他、ニュース、天気、イベントメッセージ(ＥＭ)といった各種コンテンツデータ２０３を含むデータ放送用データなどからなる。これらのデータは、複数のパケットに分割されることにより、いわゆるＴＳ(Transport Stream)パケットとして発信される。
【００３１】
この携帯電話機１では、デジタルテレビ放送受信部１１で受信したデジタルテレビ放送波から複数のＴＳパケットを抽出し、それらのＴＳパケットを合成することにより、テレビ画像２０１、テレビ音声２０２及びコンテンツデータ２０３などを生成する。そして、ＴＳパケットから生成されたテレビ画像２０１が表示部２ａに表示されるとともに、そのテレビ画像２０１に対応するテレビ音声２０２がスピーカ９から増幅して出力されることにより、ユーザはテレビ放送を視聴することができる。また、ＴＳパケットから生成されたコンテンツデータ２０３が表示部２ａに表示されることにより、ユーザはデータ放送を見ることができる。
【００３２】
回転検出センサ１２は、機械的又は電気的なスイッチにより構成され、ユーザによる表示筐体２の回転操作を検出することにより、ユーザに対する表示画面の配置方向を検出する方向検出手段である。メモリ１３は、ＲＡＭ(Random Access Memory)又はＲＯＭ(Read Only Memory)により構成されている。
【００３３】
図５は、制御部６の一構成例を示した機能ブロック図である。制御部６は、ＴＳパケット抽出部６１、ＰＭＴ抽出部６２、パケット合成部６３、テレビ画像生成部６４、コンテンツデータ生成部６５、テレビ音声生成部６６、表示制御部６７、音声制御部６８及び更新情報生成部６９によって構成され、これらの各機能ブロックは、制御部６が実行するコンピュータプログラムにより実現される。メモリ１３には、ＰＭＴ記憶部１３１及びコンテンツデータ記憶部１３２などが割り当てられている。
【００３４】
デジタルテレビ放送波には、各番組に対応付けて発信されるＰＭＴ(Program Map Table)が定期的に含まれている。このＰＭＴには、ＴＳパケットのデータ種別と、各データ種別に対応付けられた識別情報であるＰＩＤ(Packet Identifier)との対応関係が規定されている。ＰＭＴ抽出部６２は、ある番組のデジタルテレビ放送波を受信しているときに、放送基地局２００から定期的に発信される当該番組に対応するＰＭＴをデジタルテレビ放送波から抽出し、ＰＭＴ記憶部１３１に格納する。一般的に、ＰＭＴは２００ｍｓ〜５００ｍｓの周期で発信されている。
【００３５】
ＴＳパケット抽出部６１は、受信しているデジタルテレビ放送波から複数のＴＳパケットを抽出する。ＴＳパケット抽出部６１で抽出された複数のＴＳパケットは、パケット合成部６３においてＰＩＤに基づいてデータ種別ごとに合成される。このとき、パケット合成部６３は、ＰＭＴ記憶部１３１に記憶されているＰＭＴと各ＴＳパケットに含まれるＰＩＤとを比較することによりデータ種別を特定し、テレビ画像、テレビ音声及び後述するコンテンツデータに含まれるＤＩＩ(Download Info Indication)やＤＤＢ(Download Data Block)やイベントメッセージ(Event Message)といったデータ種別ごとにＴＳパケットを合成する。
【００３６】
テレビ画像生成部６４は、受信したデジタルテレビ放送波に含まれるテレビ放送用データに基づいてテレビ画像を生成するテレビ画像生成手段であり、テレビ画像に対応付けられているＰＩＤに基づいて合成されたＴＳパケットからテレビ画像を生成する。また、テレビ音声生成部６６は、受信したデジタルテレビ放送波に含まれるテレビ放送用データに基づいてテレビ音声を生成するテレビ音声生成手段であり、テレビ音声に対応付けられているＰＩＤに基づいて合成されたＴＳパケットからテレビ音声を生成する。テレビ音声生成部６６により生成されたテレビ音声は、音声制御部６８によってスピーカ９から出力される。
【００３７】
コンテンツデータ生成部６５は、受信したデジタルテレビ放送波に含まれるデータ放送用データに基づいてコンテンツデータを生成するコンテンツデータ生成手段であり、データ放送用データに対応付けられているＰＩＤに基づいて合成されたＴＳパケットからコンテンツデータを生成する。コンテンツデータには、データ放送向けの言語であるＢＭＬ(Broadcast Markup Language)を用いて作成された文字列の他、画像データやタグ情報などが含まれている。ただし、コンテンツデータに含まれる文字列は、ＢＭＬを用いて作成されるものに限らず、ＨＴＭＬ(Hyper Text Markup Language)などの他の言語を用いて作成されるものであってもよい。コンテンツデータは、モジュールと呼ばれるコンテンツデータを構成するオブジェクトごとに、いわゆるデータ・カルーセル伝送方式で伝送される。
【００３８】
コンテンツデータ生成部６５において生成されたコンテンツデータは、コンテンツデータ記憶部１３２に格納される。ここで、生成されたコンテンツデータには、カレント画面データ及び各種ページデータが含まれている。ページデータは、ニュースや天気などの内容を表す文字列や画像データがページごとにグループ化されることにより構成されている。カレント画面データは、ページデータを選択するためのカレント画面のデータであり、各ページデータの上位階層の画面を構成している。すなわち、本実施の形態におけるコンテンツデータは、階層構造を有しており、カレント画面データに基づくカレント画面上でページデータを選択することにより、複数のページデータの中から選択したページデータを読み出すことができるようになっている。
【００３９】
更新情報生成部６９は、受信したデジタルテレビ放送波に含まれるデータ放送用データに基づいて更新情報を生成する更新情報生成手段であり、データ放送用データに対応付けられているＰＩＤに基づいて合成されたＴＳパケットから更新情報を生成する。更新情報は、コンテンツデータの内容が更新されている場合に生成され、コンテンツデータが更新された旨又は更新された内容を表す文字列からなる。ここでは、「更新」には、コンテンツデータに対するデータの変更、付加及び削除の少なくとも１つが含まれるものとする。
【００４０】
表示制御部６７は、表示部２ａに対する表示を制御する表示制御手段であり、テレビ画像表示制御部６７１、コンテンツデータ表示制御部６７２、カーソル選択部６７３及び更新情報表示制御部６７４が含まれている。テレビ画像表示制御部６７１は、テレビ画像生成部６４により生成されたテレビ画像を表示部２ａに表示させる。このテレビ画像表示制御部６７１は、回転検出センサ１２からの検出信号に基づいて、縦長表示状態及び横長表示状態のいずれかによって異なる態様で表示部２ａに対する表示を行う。
【００４１】
コンテンツデータ表示制御部６７２は、表示部２ａを縦長表示状態の表示画面に切り替えたときに、コンテンツデータ生成部６５で生成されたコンテンツデータであるカレント画面データ及び複数のページデータを切り替えて、表示部２ａに表示させる。カーソル選択部６７３は、コンテンツデータに基づいて表示部２ａに表示されるいずれかの文字列にカーソルを合わすことにより、当該文字列を選択して表示部２ａに表示させる。このように、カーソル選択部６７３は、当該文字列を選択するための文字列選択手段である。更新情報表示制御部６７４は、更新情報生成部６９で生成された更新情報を表示部２ａに表示させる。
【００４２】
図６は、受信したＴＳパケット３１に基づいてコンテンツデータを生成する際の態様を示した図である。コンテンツデータをデータ・カルーセル伝送方式で伝送する際には、コンテンツデータの各モジュールがＤＤＢとして複数のブロックデータに分割される。そして、これらのＤＤＢと、各モジュールに関する情報からなるＤＩＩとが、それぞれＴＳパケット３１として繰り返し伝送される。
【００４３】
ＴＳパケット３１として伝送されたＤＩＩ及び複数のＤＤＢには、それぞれ異なるＰＩＤが割り当てられており、ＰＩＤが共通するＴＳパケット３１を合成することにより、ＤＩＩ及び各ＤＤＢが別々のデータとして生成される。この例では、ＤＩＩと３つのＤＤＢが、それぞれに割り当てられたＰＩＤ（ａ〜ｄ）に基づいて別々のデータとして生成されている。ここで、各ＤＤＢは、コンテンツデータの各モジュールを構成しているブロックデータであり、文字列や画像データなどからなる。また、ＤＩＩには、各モジュールに割り当てられた識別情報であるモジュールＩＤと、そのモジュールが更新された日時などからなるバージョン情報とが含まれる。上述した更新情報生成部６９は、このバージョン情報に基づいて更新情報を生成する。
【００４４】
上記のようにして生成された複数のＤＤＢが、ＤＩＩに含まれるモジュールＩＤに基づいて合成されることにより、各モジュール３２が生成される。ただし、各モジュール３２は、複数のＤＤＢにより生成されてもよいし、１つのＤＤＢにより生成されてもよい。生成された複数のモジュール３２によって構成されるカレント画面データやページデータなどのコンテンツデータは、コンテンツデータ記憶部１３２に格納される。
【００４５】
図７は、テレビ放送及びデータ放送を受信しているときの表示部２ａの表示態様の一例を示した図であり、（ａ）は横長表示状態における表示態様、（ｂ）は（ａ）の状態から縦長表示状態に切り替えたときの表示態様、（ｃ）は選択したページデータが表示された状態を示している。図７（ａ）に示すように、横長表示状態における表示部２ａの表示画面には、ピクト表示領域２１及びテレビ画像表示領域２２が形成される。また、図７（ｂ）（ｃ）に示すように、縦長表示状態における表示部２ａの表示画面には、ピクト表示領域２３、テレビ画像表示領域２４及びデータ放送表示領域２５が表示画面上に形成される。
【００４６】
横長表示状態におけるテレビ画像表示領域２２は、その横幅が表示画面の長辺の長さと一致しており、縦幅に比べて横幅が長い横長のアスペクト比からなるテレビ画像が、表示画面の短手方向を上下方向として表示される。この例におけるテレビ画像は、横幅と縦幅の比が１６：９のアスペクト比となっている。ピクト表示領域２１は、その横幅が表示画面の長辺の長さと一致し、テレビ画像表示領域２２よりも小さい領域からなる。このピクト表示領域２１には、セルラー通信部１０における電波の受信感度や、当該携帯電話機１に電力を供給する電池の残量などを表示することができる。
【００４７】
この例では、バージョン情報に基づいて、いずれかのコンテンツデータが更新されたものと判断される場合に、コンテンツデータが更新された旨を表す文字列として予め定められた更新情報が生成され、その更新情報が、図７（ａ）に示すようにピクト表示領域２１に表示されるようになっている。このピクト表示領域２１には、１行分の文字を表示することができ、表示画面の長手方向に向かってマーキー表示されるようになっている。ここで、マーキー表示とは、時間経過とともに一定方向に移動するように文字が表示される表示態様であり、文頭の文字から順にピクト表示領域２１に表示され、このピクト表示領域２１内で一定方向に移動した後、文頭の文字から順にピクト表示領域２１から消去される。
【００４８】
図７（ａ）の状態から表示筐体２が回転され、横長表示状態から縦長表示状態に切り替わると、図７（ｂ）に示すように、ピクト表示領域２３、テレビ画像表示領域２４及びデータ放送表示領域２５が表示画面上に形成される。テレビ画像表示領域２４は、その横幅が表示画面の短辺の長さと一致しており、テレビ画像のアスペクト比に対応する横幅及び縦幅で形成されることにより、図７（ａ）の横長表示状態におけるテレビ画像表示領域２２よりも小さい領域として形成されている。縦長表示状態では、テレビ画像表示領域２４に対して、表示画面の長手方向を上下方向としてテレビ画像が表示される。ピクト表示領域２３は、その横幅が表示画面の短辺の長さと一致し、テレビ画像表示領域２４よりも小さい領域からなる。このピクト表示領域２３には、図７（ａ）の場合と同様に、セルラー通信部１０における電波の受信感度や、当該携帯電話機１に電力を供給する電池の残量などを表示することができる。
【００４９】
この例では、データ放送のコンテンツデータとして、ニュース、天気及びスポーツなどに関する文字列を伝送することができるようになっており、図７（ｂ）に示したデータ放送表示領域２５には、これらの各種コンテンツデータを選択するためのカレント画面が表示されている。データ放送表示領域２５は、ピクト表示領域２３よりも大きい縦幅を有しており、複数行にわたって文字を表示することができる。図７（ｂ）に示したカレント画面では、カレント画面データに含まれる「ニュース」、「天気」及び「スポーツ」といった文字列が、データ放送表示領域２５に複数行で表示されている。
【００５０】
ユーザは、図７（ｂ）のカレント画面に表示されているいずれかの文字列にカーソル２６を合わせて決定操作を行うことにより、図７（ｃ）に示すように、その文字列に対応するページデータをデータ放送表示領域２５に表示させることができる。図７（ｂ）のカレント画面において「ニュース」という文字列にカーソル２６が合わせられて決定操作が行われることにより、図７（ｃ）に示すように、「ニュース」のページデータとしての文字列がデータ放送表示領域２５に表示させることができる。
【００５１】
本実施の形態では、図７（ａ）のように更新情報がピクト表示領域２１にマーキー表示されているときに、表示部２ａの表示画面が横長表示状態から縦長表示状態へ切り替えられた場合に、図７（ｂ）に示すような表示画面に表示される文字列のうち、切替時に横長表示状態で表示されていた更新情報に対応する文字列、すなわち更新されたコンテンツデータに対応する文字列にカーソル２６が合わせられるようになっている。この例では、「ニュース」に対応するページデータの文字列（図７（ｃ））が更新され、コンテンツデータが更新された旨を表す更新情報が横長表示状態の表示画面に表示されているときに（図７（ａ））、表示画面が縦長表示状態へ切り替えられることにより、縦長表示状態の表示画面に表示される文字列のうち「ニュース」の文字列にカーソル２６が合わせられるようになっている（図７（ｂ））。
【００５２】
このような構成により、横長表示状態の表示画面のピクト表示領域２１にコンテンツデータの更新情報が表示されるので、ユーザは、横長表示状態の表示画面でテレビ画像を見ながら、小さい表示領域でコンテンツデータが更新された旨を確認することができる。また、横長表示状態の表示画面のピクト表示領域２１に表示された更新情報を確認したユーザが、その更新されたデータ放送の内容を詳細に確認することを望む場合には、表示画面を縦長表示状態へ切り替えることにより更新内容をすぐに確認することができる。このとき、縦長表示状態への表示画面の切り替え操作により、縦長表示状態の表示画面に表示されるコンテンツデータに含まれる文字列のうち、横長表示状態のときに表示されていた更新情報に対応する文字列にカーソル２６が自動的に合わせられるので、更新された部分が分かりやすく、更新された内容をユーザが容易に確認できる。
【００５３】
図８は、横長表示状態でテレビ放送及びデータ放送を受信しているときの制御部６による処理の一例を示したフローチャートである。横長表示状態でテレビ放送を受信しているときには、テレビ画像表示領域２２にテレビ画像が表示されており、受信したデータ放送用データに基づいて更新情報が生成された場合には（ステップＳ１０１でＹｅｓ）、図７（ａ）に示したように、その更新情報がピクト表示領域２１にマーキー表示される（ステップＳ１０２）。
【００５４】
横長表示状態の表示画面に更新情報がマーキー表示されているときに、表示部２ａの表示画面が縦長表示状態へ切り替えられると（ステップＳ１０３でＹｅｓ）、テレビ画像の配置方向が９０°回転されるとともに（ステップＳ１０４）、切替によって表示画面上に現れたデータ放送表示領域２５にカレント画面が表示される（ステップＳ１０５）。このとき、カレント画面に表示される文字列のうち、切替時に横長表示状態で表示されていた更新情報に対応する文字列、すなわち更新されたコンテンツデータに対応する文字列にカーソル２６が自動的に合わせられる（ステップＳ１０６）。
【００５５】
したがって、ユーザは、操作部４を用いてステップＳ１０６において自動的に合わさせられたカーソルに対して決定操作を行うことにより（ステップＳ１０７でＹｅｓ）、そのカーソル２６が合わせられている文字列に対応する更新されたページデータを読み出し、データ放送表示領域２５に表示させることができる（ステップＳ１０８）。また、ユーザは、操作部４を操作することによりカーソル２６をステップＳ１０６において自動的に合わさせられた前記文字列とは別の文字列に合わせた後、決定操作を行うことによって、そのカーソル２６を合わせた文字列に対応するページデータを読み出すことも可能である。
【００５６】
なお、図８に示すフローチャートにおいて、ステップＳ１０３の縦長表示状態へ切り替えたか否かの判断の際、縦長表示状態へ切り替えなかった場合（ステップＳ１０３でＮｏ）には、マーキー表示がされている状態が所定時間経過したか否かをさらに判断し、所定時間経過していた場合には、横長表示状態の表示画面にマーキー表示を表示しないように制御するようにしてもよい。
【００５７】
実施の形態２．
実施の形態１では、横長表示状態の表示画面に更新情報が表示されているときに縦長表示状態へ切り替えられた場合に、縦長表示状態の表示画面にカレント画面が表示され、そのカレント画面に表示される文字列のうち、切替時に横長表示状態で表示されていた更新情報に対応する文字列にカーソル２６が合わせられるような構成について説明した。これに対して、実施の形態２では、横長表示状態の表示画面に更新情報が表示されているときに縦長表示状態へ切り替えられた場合に、切替時に横長表示状態で表示されていた更新情報に対応するページデータが縦長表示状態の表示画面に表示されるようになっている。
【００５８】
図９は、本発明の実施の形態２による携帯電話機１においてテレビ放送及びデータ放送を受信しているときの表示部２ａの表示態様の一例を示した図であり、（ａ）は横長表示状態における表示態様、（ｂ）は（ａ）の状態から縦長表示状態に切り替えたときの表示態様を示している。横長表示状態における表示部２ａの表示画面には、実施の形態１と同様にピクト表示領域２１及びテレビ画像表示領域２２が形成され、テレビ画像表示領域２２に表示画面の短手方向を上下方向としてテレビ画像が表示される。そして、受信したデータ放送用データに基づいて更新情報が生成された場合には、図９（ａ）に示すように、その更新情報がピクト表示領域２１にマーキー表示される。
【００５９】
図９（ａ）の状態から表示筐体２が回転され、横長表示状態から縦長表示状態に切り替わると、図９（ｂ）に示すように、ピクト表示領域２３、テレビ画像表示領域２４及びデータ放送表示領域２５が表示画面上に形成される。このとき、ピクト表示領域２３及びテレビ画像表示領域２４に対する表示態様は、実施の形態１において図７（ｂ）に示した態様と同様であるので、ここでは説明を省略することとする。一方、縦長表示状態に切り替えられたときに表示画面上に現れるデータ放送表示領域２５には、実施の形態１の場合とは異なり、カレント画面データの下位階層であるページデータが表示される。
【００６０】
より具体的には、図９（ａ）のように更新情報がピクト表示領域２１にマーキー表示されているときに、表示部２ａの表示画面が横長表示状態から縦長表示状態へ切り替えられた場合に、図９（ｂ）に示すように、切替時に横長表示状態で表示されていた更新情報に対応するページデータ、すなわち更新されたコンテンツデータに対応するページデータが、表示画面のデータ放送表示領域２５に表示されるようになっている。この例では、「天気」に対応するページデータの文字列が更新され、コンテンツデータが更新された旨を表す更新情報が横長表示状態の表示画面に表示されているときに（図９（ａ））、表示画面が縦長表示状態へ切り替えられることにより、縦長表示状態の表示画面のデータ放送表示領域２５に、「天気」に対応するページデータの文字列が表示されている（図９（ｂ））。
【００６１】
このような構成により、横長表示状態の表示画面のピクト表示領域２１にコンテンツデータの更新情報が表示されるので、ユーザは、横長表示状態の表示画面でテレビ画像を見ながら、小さい表示領域でコンテンツデータが更新された旨を確認することができる。また、横長表示状態の表示画面のピクト表示領域２１に表示された更新情報を確認したユーザが、その更新されたデータ放送の内容を詳細に確認することを望む場合には、表示画面を縦長表示状態へ切り替えることにより、更新されたデータ放送の内容を簡単に表示画面に表示することができる。このとき、上記更新情報が表示されている横長表示状態の表示画面から、縦長表示状態の表示画面に切り替えることにより、縦長表示状態の表示画面に切り替えて表示可能な複数のページデータのうち、横長表示状態のときに表示されていた更新情報に対応するページデータが表示画面に自動的に表示されるので、更新された内容をユーザが容易に確認できる。
【００６２】
なお、実施の形態２のように、横長表示状態から縦長表示状態へ切り替えられることにより表示画面にページデータが表示される場合、図１０に示すように、図１０（ａ）の横長表示状態から図１０（ｂ）の縦長表示状態へ切り替えられることにより表示画面に表示されたページデータに含まれる文字列のうち、横長表示状態のときに表示されていた更新情報に対応する文字列、すなわち更新された文字を含む文字列が自動的に選択され、実施の形態１の場合と同様に、その選択された文字列にカーソル２６が合わせられるような構成となっていてもよい。
【００６３】
図１１は、実施の形態２において横長表示状態でテレビ放送及びデータ放送を受信しているときの制御部６による処理の一例を示したフローチャートである。横長表示状態でテレビ放送を受信しているときには、テレビ画像表示領域２２にテレビ画像が表示されており、受信したデータ放送用データに基づいて更新情報が生成された場合には（ステップＳ２０１でＹｅｓ）、図９（ａ）に示したように、その更新情報がピクト表示領域２１にマーキー表示される（ステップＳ２０２）。
【００６４】
横長表示状態の表示画面に更新情報がマーキー表示されているときに、表示部２ａの表示画面が縦長表示状態へ切り替えられると（ステップＳ２０３でＹｅｓ）、テレビ画像の配置方向が９０°回転されるとともに（ステップＳ２０４）、切替時に横長表示状態で表示されていた更新情報に対応するページデータが、切替によって表示画面上に現れたデータ放送表示領域２５に表示される（ステップＳ２０５）。
【００６５】
実施の形態３．
実施の形態１及び２では、コンテンツデータが更新された旨を表す文字列として予め定められた更新情報が横長表示状態のピクト表示領域２１にマーキー表示されるような構成について説明した。これに対して、実施の形態３では、更新された文字を含む文字列がコンテンツデータから更新情報として抽出され、その抽出された更新情報が横長表示状態のピクト表示領域２１にマーキー表示されるようになっている点が異なっている。
【００６６】
図１２は、本発明の実施の形態３による携帯電話機１において受信したＴＳパケット３１に基づいてコンテンツデータを生成する際の態様を示した図である。受信したＴＳパケット３１に基づいてコンテンツデータを生成する際の具体的な態様については、図６に示した実施の形態１の場合と同様であるので、ここでは説明を省略することとする。
【００６７】
本実施の形態では、図１２に示すように、コンテンツデータの各モジュールを構成するＤＤＢの一部に、当該コンテンツデータに含まれる任意の文字列に対応付けられたマーキーフラグ３３が含まれている。このマーキーフラグ３３は、対応するコンテンツデータに含まれる任意の文字列を更新情報として抽出させるか否かを表すフラグであり、任意の文字列に対するタグ情報としてコンテンツデータに埋め込まれている。したがって、更新された文字を含む文字列にマーキーフラグ３３を対応付けることにより、その文字列を更新情報として横長表示状態のピクト表示領域２１にマーキー表示させることができる。
【００６８】
図１３は、本発明の実施の形態３による携帯電話機１においてテレビ放送及びデータ放送を受信しているときの表示部２ａの表示態様の一例を示した図であり、（ａ）は横長表示状態における表示態様、（ｂ）は（ａ）の状態から縦長表示状態に切り替えたときの表示態様を示している。横長表示状態における表示部２ａの表示画面には、実施の形態１と同様にピクト表示領域２１及びテレビ画像表示領域２２が形成され、テレビ画像表示領域２２に表示画面の短手方向を上下方向としてテレビ画像が表示される。そして、受信したデータ放送用データに基づいて更新情報が生成された場合には、図１３（ａ）に示すように、その更新情報がピクト表示領域２１にマーキー表示される。
【００６９】
この例では、「天気」のコンテンツデータに対応するＤＤＢにマーキーフラグ３３が含まれており、このマーキーフラグ３３が、「天気」のコンテンツデータに含まれる文字列に対応付けられている。そのため、横長表示状態のピクト表示領域２１には、図１３（ａ）に示すように、「天気」のコンテンツデータから抽出された文字列が更新情報としてマーキー表示されている。
【００７０】
図１３（ａ）の状態から表示筐体２が回転され、横長表示状態から縦長表示状態に切り替わると図１３（ｂ）に示すように、ピクト表示領域２３、テレビ画像表示領域２４及びデータ放送表示領域２５が表示画面上に形成される。このとき、ピクト表示領域２３、テレビ画像表示領域２４及びデータ放送表示領域２５に対する表示態様は、実施の形態２において図９（ｂ）に示した態様と同様であるので、ここでは説明を省略することとする。
【００７１】
このような構成により、コンテンツデータに含まれる文字列のうち、更新情報として表示させる旨が表されているマーキーフラグ３３に対応する文字列のみを横長表示状態のピクト表示領域２１に表示させることができる。したがって、マーキーフラグ３３を適宜に設定することにより、コンテンツデータが更新された旨又は更新された内容をユーザが確認しやすい文字列を更新情報として表示させることができる。
【００７２】
特に、コンテンツデータから更新された文字を含む文字列を更新情報として抽出し、その抽出した文字列を横長表示状態のピクト表示領域２１に表示させることができるので、ユーザは、横長表示状態の表示画面でテレビ画像を見ながら、更新された部分の文字列を確認することにより、コンテンツデータが更新された旨だけでなく、更新された内容を横長表示状態のまま確認することができる。このとき、表示された文字列だけでは更新された内容を十分に理解できない場合には、表示画面を横長表示状態から縦長表示状態へ切り替えて、更新された内容をより詳細に確認することができる。
【００７３】
なお、更新された文字を含む文字列をコンテンツデータから更新情報として抽出するような構成としては、本実施の形態のように、任意の文字列にマーキーフラグ３３を対応付けるような構成に限らず、例えば、コンテンツデータを複数の文字列に分割し、それらの文字列のうち更新された文字を含む文字列が更新情報として抽出され、その更新情報が横長表示状態のピクト表示領域２１に表示されるような構成であってもよい。
【００７４】
実施の形態４．
実施の形態３では、横長表示状態のピクト表示領域２１に更新情報として表示させる文字列が、コンテンツデータに含まれるマーキーフラグ３３により規定されるような構成について説明した。これに対して、実施の形態４では、更新情報として表示させる専用の文字列がコンテンツデータに含まれている点が異なっている。
【００７５】
図１４は、本発明の実施の形態４による携帯電話機１において受信したＴＳパケット３１に基づいてコンテンツデータを生成する際の態様を示した図である。受信したＴＳパケット３１に基づいてコンテンツデータを生成する際の具体的な態様については、図６に示した実施の形態１の場合と同様であるので、ここでは説明を省略することとする。
【００７６】
本実施の形態では、図１４に示すように、コンテンツデータの各モジュールを構成するＤＤＢの一部に、更新情報として横長表示状態のピクト表示領域２１に表示するための専用の文字列であるマーキー専用文字列３４が含まれている。この例では、「天気」のコンテンツデータに対応するＤＤＢにマーキー専用文字列３４が含まれ、「ニュース」のコンテンツデータに対応するＤＤＢにはマーキー専用文字列３４が含まれていない。そのため、横長表示状態のピクト表示領域２１には、「天気」のコンテンツデータから抽出されたマーキー専用文字列３４は表示されるが、「ニュース」のコンテンツデータに含まれる文字列は表示されない。なお、マーキー専用文字３４は、横長表示状態のピクト表示領域２１にマーキー表示するための専用の文字列であり、縦長表示状態のときには表示画面に表示されない。
【００７７】
このような構成により、コンテンツデータに含まれる文字列のうち、更新情報として表示画面に表示するためのマーキー専用文字列３４のみを横長表示状態のピクト表示領域２１に表示させることができる。したがって、マーキー専用文字列３４を適宜に設定することにより、コンテンツデータが更新された旨又は更新された内容をユーザが確認しやすい文字列を更新情報として表示させることができる。
【００７８】
上記実施の形態１〜４では、横長表示状態のピクト表示領域２１に表示した更新情報は、複数の文字列で表示するようにしたが、更新情報があることをマークで表示するようにしてもよいし、このマーク表示と文字列表示とを併記するようにしてもよい。
【００７９】
実施の形態５．
上記した実施の形態１〜４では、コンテンツデータが更新された場合に、その更新情報を横長表示状態の表示画面に表示させ、さらに、更新情報が表示された横長表示状態の表示画面から縦長表示状態へ切り替えられた場合に、縦長表示状態の表示画面に更新されたコンテンツデータを表示する構成について説明した。これに対して、実施の形態５では、ユーザがテレビ画像を視聴しているときに、放送局が、ユーザが視聴しているテレビ放送の内容に対応したデータ放送の提供を望む場合に、提供したいデータ放送がある旨（以下誘導情報という。）の表示を横長表示状態の表示画面に表示させるようになっている。さらに、実施の形態５では、横長表示状態の表示画面に上記誘導情報が表示されているときに縦長表示状態へ切り替えられた場合に、縦長表示状態の表示画面にカレント画面が表示され、そのカレント画面に表示される文字列のうち、切替時に横長表示状態で表示されていた誘導情報に対応する文字列にカーソル２６が合わせられるような構成になっている。
【００８０】
実施の形態５においても、使用する携帯電話機1の構成および画像の表示状態は、図１から図３に示す実施の形態１の携帯電話機１と同様であり、この携帯電話機1が適用されるデジタルテレビ放送システムの電気的構成は、図４に示す実施の形態１と同様の構成とする。ここでは、携帯電話機１の構成およびデジタルテレビ放送システムの電気的構成の説明を省略することとする。
【００８１】
そして、制御部６の構成は、図１５に示すように、第１の実施の形態の更新情報生成部６９が誘導情報生成部７０に、更新情報表示制御部６７４が誘導情報表示制御部６７５に変更された点、および、表示制御部６７において表示選択部６７６が追加されたを除いて、実施の形態１と構成は同じである。誘導情報生成部７０、誘導情報表示制御部６７５、表示選択部６７６以外は、図５の実施の形態１と同じ構成のものは同じ符号で示し、説明を省略することとする。
【００８２】
誘導情報生成部７０は、受信したデジタルテレビ放送波に含まれるデータ放送用データのイベントメッセージに基づいて、ユーザに提供したいデータ放送があるという誘導情報を生成する誘導情報生成手段であり、データ放送用データに対応付けられているＰＩＤに基づいて合成されたＴＳパケットから誘導情報を生成する。
【００８３】
イベントメッセージは、この例では必要なときだけ、リアルタイムで放送局から送信されてくる場合を示している。ただし、イベントメッセージは、定期的に放送局から送信されてくるようにしてもよい。イベントメッセージは、上記した実施の形態１〜４のように、データ放送用データのコンテンツデータが更新されたことを通知するために用いることもできるし、視聴中のテレビ画像と関連したデータ放送を視聴することができるという通知を行うためにも用いることができる。
【００８４】
この例では、誘導情報は、放送局がユーザに提供したいデータ放送があることを通知した場合に、放送局から送られてくるイベントメッセージに基づいて生成される。そして、誘導情報は、提供したいデータ放送がある旨や、提供したいデータ放送の簡単な内容を表す文字列や、マーク(シンボル)からなる。ここで、提供したいデータ放送としては、テレビ放送中のコマーシャルにおけるスポンサーの情報やスポンサーが提供したい商品、または、テレビ番組の内容に関連したデータ放送などが挙げられる。誘導情報表示制御部６７５は、誘導情報生成部７０で生成された誘導情報を表示部２ａに表示させる。
【００８５】
表示選択部６７６は、横長表示状態で表示されていた上記誘導情報に対応するコンテンツデータを、上記誘導情報が表示されている横長表示状態の表示画面から縦長表示状態の上記表示画面へ切り替えたときに、縦長表示状態の上記表示画面に表示させるか否かを選択するように構成されている。
【００８６】
この例では、表示筐体２を回転させて、横長表示状態の上記表示画面から、縦長表示状態の上記表示画面へ移行するとき、上記誘導情報に対応するコンテンツデータを表示させたいときには、そのまま、表示筐体２を回転させる。また、上記誘導情報に対応するコンテンツデータを表示させなくない場合には、操作筐体５の操作部４の所定のボタンを押しながら、表示筐体２を回転させるようにするようにする。このように、上記表示選択部６７６は、上記表示筐体２を回転させて表示切り替えを行うときに、上記操作筐体５の操作部４の所定のボタンを押しながら行うか否かで表示の選択を行うように構成している。
【００８７】
この例では、ユーザは、表示筐体２を回転させる際に、操作筐体５の操作部４の所定のボタンを押しながら回転させるか否かの簡単な動作によって、希望に応じて、上記誘導情報に対応するコンテンツデータを表示させるようにするか、または、表示させないようにするかを選択することができる。
【００８８】
図１６は、実施の形態５において、受信したＴＳパケット３１に基づいてコンテンツデータを生成する際の態様を示した図である。コンテンツデータをデータ・カルーセル伝送方式で伝送する際には、コンテンツデータの各モジュールがＤＤＢとして複数のブロックデータに分割される。そして、これらのＤＤＢと、各モジュールに関する情報からなるＤＩＩとが、それぞれＴＳパケット３１として繰り返し伝送される。さらに、必要なときは、図１６に示すように、イベントメッセージ（ＥＭ）が、ＤＩＩとＤＤＢと共に伝送される。
【００８９】
ＴＳパケット３１として伝送されたＤＩＩ、複数のＤＤＢ、そしてイベントメッセージには、それぞれ異なるＰＩＤが割り当てられており、ＰＩＤが共通するＴＳパケット３１を合成することにより、ＤＩＩ及び各ＤＤＢが別々のデータとして生成される。この例では、ＤＩＩと２つのＤＤＢと、イベントメッセージとが、それぞれに割り当てられたＰＩＤ（ａ〜ｄ）に基づいて別々のデータとして生成されている。ここで、各ＤＤＢは、コンテンツデータの各モジュールを構成しているブロックデータであり、文字列や画像データなどからなる。また、ＤＩＩには、各モジュールに割り当てられた識別情報であるモジュールＩＤと、そのモジュールが更新された日時などからなるバージョン情報とが含まれる。
【００９０】
イベントメッセージは、誘導したいコンテンツデータに割り当てられた識別情報であるメッセージＩＤと、横長表示状態における表示画面に表示させる文字列とが含まれる。横長表示状態における表示画面に表示させる文字列は、テキスト表示としてもよいし、マーク表示としてもよいし、テキスト表示とマーク表示とを含むようにしてもよい。さらに、イベントメッセージには、誘導したいページデータの起動ＵＲＬ(Uniform Resource Locator)の情報を含むようにしている。上述した誘導情報生成部７０は、このイベントメッセージの情報に基づいて誘導情報を生成する。
【００９１】
上記のようにして生成された複数のＤＤＢが、ＤＩＩに含まれるモジュールＩＤに基づいて合成されることにより、各モジュール３２が生成される。ただし、各モジュール３２は、複数のＤＤＢにより生成されてもよいし、１つのＤＤＢにより生成されてもよい。生成された複数のモジュール３２によって構成されるカレント画面データやページデータなどのコンテンツデータは、コンテンツデータ記憶部１３２に格納される。
【００９２】
図１７は、実施の形態５によるテレビ放送及びデータ放送を受信しているときの表示部２ａの表示態様の一例を示した図であり、（ａ）は横長表示状態における表示態様、（ｂ）は（ａ）の状態から縦長表示状態に切り替えたときの表示態様、（ｃ）は選択したページデータが表示された状態を示している。図１７（ａ）に示すように、横長表示状態における表示部２ａの表示画面には、ピクト表示領域２１及びテレビ画像表示領域２２が形成される。また、図１７（ｂ）（ｃ）に示すように、縦長表示状態における表示部２ａの表示画面には、ピクト表示領域２３、テレビ画像表示領域２４及びデータ放送表示領域２５が表示画面上に形成される。
【００９３】
この例では、視聴中のテレビ放送に関連したデータ放送の提供を放送局が望む場合に、放送局から送られてきたイベントメッセージに基づいて、提供したいデータ放送の視聴を望む旨を表す文字列として予め定められた誘導情報が生成され、その誘導情報が、図１７（ａ）に示すようにピクト表示領域２１に表示されるようになっている。このピクト表示領域２１には、１行分の文字を表示することができ、表示画面の長手方向に向かって実施の形態１で説明したマーキー表示が表示されるようになっている。
【００９４】
図１７（ａ）の状態から表示筐体２が回転され、横長表示状態から縦長表示状態に切り替わると、図１７（ｂ）に示すように、ピクト表示領域２３、テレビ画像表示領域２４及びデータ放送表示領域２５が表示画面上に形成される。
【００９５】
この例では、データ放送のコンテンツデータとして、放送局が提供するニュース、天気、スポンサーなどに関する文字列を伝送することができるようになっており、図１７（ｂ）に示したデータ放送表示領域２５には、これらの各種コンテンツデータを選択するためのカレント画面が表示されている。データ放送表示領域２５は、ピクト表示領域２３よりも大きい縦幅を有しており、複数行にわたって文字を表示することができる。図１７（ｂ）に示したカレント画面では、カレント画面データに含まれる「ニュース」及び「スポンサー」といった文字列が、データ放送表示領域２５に複数行で表示されている。
【００９６】
ユーザは、図１７（ｂ）のカレント画面に表示されているいずれかの文字列にカーソル２６を合わせて決定操作を行うことにより、図１７（ｃ）に示すように、その文字列に対応するページデータをデータ放送表示領域２５に表示させることができる。この図１７（ｃ）の例では、図１７（ｂ）において「スポンサー」という文字列にカーソル２６が合わせられて決定操作が行われることにより、「スポンサー」のページデータとしての文字列がデータ放送表示領域２５に表示されている。
【００９７】
この例では、図１７（ａ）のように誘導情報がピクト表示領域２１にマーキー表示されているときに、表示部２ａの表示画面が横長表示状態から縦長表示状態へ切り替えられた場合に、図１７（ｂ）に示すような表示画面に表示される文字列のうち、切替時に横長表示状態で表示されていた誘導情報に対応する文字列にカーソル２６が合わせられるようになっている。
【００９８】
図１７に示す例では、テレビ放送で車のコマーシャルが放送されているときに、放送局からコマーシャル中の新車情報を提供したいというイベントメッセージが送られてきて、誘導情報が横長表示状態の表示画面に表示されている（図１７（ａ））。そして、図１７（ａ）の横長表示状態の表示画面の状態から、縦長表示状態に切り替えられることにより、カレント画面にこのコマーシャル中のスポンサーに対応した「スポンサー」という文字列にカーソル２６が合わせられる（図１７（ｂ））。そして、「スポンサー」という文字列で、決定操作が行われることにより、次に、「スポンサー」のページデータにおける、コマーシャル中の新車情報のページデータが表示される。
【００９９】
このような構成により、横長表示状態の表示画面のピクト表示領域２１に誘導情報が表示されるので、ユーザは、横長表示状態の表示画面でテレビ画像を見ながら、小さい表示領域で放送局からの誘導情報があることを確認することができる。また、横長表示状態の表示画面のピクト表示領域２１に表示された誘導情報を確認したユーザが、その提供したいデータ放送の内容を詳細に確認することを望む場合には、表示画面を縦長表示状態へ切り替えることにより誘導情報の内容をすぐに確認することができる。このとき、縦長表示状態への表示画面の切り替え操作により、縦長表示状態の表示画面に表示されるコンテンツデータに含まれる文字列のうち、横長表示状態のときに表示されていた誘導情報に対応する文字列にカーソル２６が自動的に合わせられるので、放送局が提供したいデータ放送の部分が分かりやすく、誘導情報の内容をユーザが容易に確認できる。
【０１００】
図１８は、横長表示状態でテレビ放送及びデータ放送を受信しているときの制御部６による処理の一例を示したフローチャートである。横長表示状態でテレビ放送を受信しているときには、テレビ画像表示領域２２にテレビ画像が表示されており、受信したデータ放送用データのイベントメッセージに基づいて誘導情報が生成された場合には（ステップＳ３０１でＹｅｓ）、図１７（ａ）に示したように、その誘導情報がピクト表示領域２１にマーキー表示される（ステップＳ３０２）。
【０１０１】
横長表示状態の表示画面に誘導情報がマーキー表示されているときに、表示部２ａの表示画面が縦長表示状態へ切り替えられると（ステップＳ３０３でＹｅｓ）、テレビ画像の配置方向が９０°回転される（ステップＳ３０４）。そして、切替によって表示画面上に現れたデータ放送表示領域２５にカレント画面が表示される（ステップＳ３０５）。
【０１０２】
なお、この例では、ステップＳ３０３の表示切り替え操作時に、操作筐体５の操作部４の所定のボタンを押しながら表示筐体２を回転させた場合には、横長表示状態の表示画面に表示されていた誘導情報に対応しない通常のＴＯＰページのカレント画面へと表示が切り替わり、表示筐体２をそのまま回転させた場合には、上記誘導情報に対応したカレント画面へと表示が切り替わるように構成されている。
【０１０３】
そして、上記誘導情報に対応したカレント画面へと表示が切り替わった場合には、カレント画面に表示される文字列のうち、切替時に横長表示状態で表示されていた誘導情報に対応する文字列に対応する文字列にカーソル２６が自動的に合わせられ、横長表示状態の表示画面に表示されていた誘導情報に対応しない通常のＴＯＰページのカレント画面へと表示が切り替わった場合には、ＴＯＰページの最上位に表示される文字列にカーソル２６が自動的に合わせられる（ステップＳ３０６）。
【０１０４】
ユーザは、操作部４を用いてステップＳ３０６において自動的に合わさせられたカーソルに対して決定操作を行うことにより（ステップＳ３０７でＹｅｓ）、そのカーソル２６が合わせられている文字列に対応し、誘導情報に対応するページデータを読み出し、このページデータをデータ放送表示領域２５に表示させることができる（ステップＳ３０８）。また、ユーザは、操作部４を操作することによりカーソル２６をステップＳ３０６において自動的に合わさせられた前記文字列とは別の文字列に合わせた後、決定操作を行うことによって、そのカーソル２６を合わせた文字列に対応するページデータを読み出すことも可能である。
【０１０５】
実施の形態６．
実施の形態５では、横長表示状態の表示画面に誘導情報が表示されているときに縦長表示状態へ切り替えられた場合に、縦長表示状態の表示画面にカレント画面が表示され、そのカレント画面に表示される文字列のうち、切替時に横長表示状態で表示されていた誘導情報に対応する文字列にカーソル２６が合わせられるような構成について説明した。これに対して、実施の形態６では、横長表示状態の表示画面に誘導情報が表示されているときに縦長表示状態へ切り替えられた場合に、切替時に横長表示状態で表示されていた誘導情報に対応するページデータが縦長表示状態の表示画面に表示されるようになっている。
【０１０６】
図１９は、本発明の実施の形態６による携帯電話機１においてテレビ放送及びデータ放送を受信しているときの表示部２ａの表示態様の一例を示した図であり、（ａ）は横長表示状態における表示態様、（ｂ）は（ａ）の状態から縦長表示状態に切り替えたときの表示態様を示している。横長表示状態における表示部２ａの表示画面には、実施の形態５と同様にピクト表示領域２１及びテレビ画像表示領域２２が形成され、テレビ画像表示領域２２に表示画面の短手方向を上下方向としてテレビ画像が表示される。そして、受信したデータ放送用データに基づいて誘導情報が生成された場合には、図１９（ａ）に示すように、その誘導情報がピクト表示領域２１にマーキー表示される。
【０１０７】
そして、図１９（ａ）の状態から表示筐体２が回転され、横長表示状態から縦長表示状態に切り替わると、図１９（ｂ）に示すように、ピクト表示領域２３、テレビ画像表示領域２４及びデータ放送表示領域２５が表示画面上に形成される。このとき、ピクト表示領域２３及びテレビ画像表示領域２４に対する表示態様は、実施の形態５において図１７（ｂ）に示した態様と同様であるので、ここでは説明を省略することとする。
【０１０８】
実施の形態６では、図１９（ａ）のように誘導情報がピクト表示領域２１にマーキー表示されているときに、表示部２ａの表示画面が横長表示状態から縦長表示状態へ切り替えられた場合に、図１９（ｂ）に示すように、切替時に横長表示状態で表示されていた誘導情報に対応するページデータ、すなわち放送局側が提供を望むテレビ放送に関連したコンテンツデータに対応するページデータが、表示画面のデータ放送表示領域２５に表示されるようになっている。
【０１０９】
より具体的には、テレビ放送で車のコマーシャルが放送されているときに、放送局からコマーシャル中の新車情報を提供したいというイベントメッセージが送られてくると、誘導情報が横長表示状態の表示画面に表示される（図１９（ａ））。この表示状態のときに表示画面が横長表示状態から縦長表示状態に切り替えられることにより、カレント画面データの二階層以降となる下位階層の「スポンサー」のページデータにおける、コマーシャル中の新車情報のページデータ（図１９（ｂ））が表示されるようになっている。
【０１１０】
このような構成により、横長表示状態の表示画面のピクト表示領域２１にコンテンツデータの誘導情報が表示されるので、ユーザは、横長表示状態の表示画面でテレビ画像を見ながら、小さい表示領域で放送局が提供したいコンテンツデータがある旨を確認することができる。また、横長表示状態の表示画面のピクト表示領域２１に表示された誘導情報を確認したユーザが、その提供したいデータ放送の内容を詳細に確認することを望む場合には、表示画面を縦長表示状態へ切り替えることができる。このとき、横長表示状態から縦長表示状態への表示画面の切り替え操作により、縦長表示状態の表示画面に対して切り替えて表示可能な複数のページデータのうち、横長表示状態のときに表示されていた誘導情報に対応するページデータが表示画面に自動的に表示されるので、提供したいコンテンツデータの内容をユーザが容易に確認できる。
【０１１１】
図２０は、実施の形態６による横長表示状態でテレビ放送及びデータ放送を受信しているときの制御部６による処理の一例を示したフローチャートである。横長表示状態でテレビ放送を受信しているときには、テレビ画像表示領域２２にテレビ画像が表示されており、受信したデータ放送用データのイベントメッセージに基づいて誘導情報が生成された場合には（ステップＳ４０１でＹｅｓ）、図１９（ａ）に示したように、その誘導情報がピクト表示領域２１にマーキー表示される（ステップＳ４０２）。
【０１１２】
横長表示状態の表示画面に誘導情報がマーキー表示されているときに、表示部２ａの表示画面が縦長表示状態へ切り替えられると（ステップＳ４０３でＹｅｓ）、テレビ画像の配置方向が９０°回転されるとともに（ステップＳ４０４）、切替時に横長表示状態で表示されていた誘導情報に対応するページデータが、切替によって表示画面上に現れたデータ放送表示領域２５に表示される（ステップＳ４０５）。
【０１１３】
実施の形態７．
なお、図１９（ａ）に示す例では、誘導情報を所定の文字列でピクト表示領域２１にマーキー表示したが、図２１（ａ)に示すように、文字列では、誘導情報を示す専用のマークをピクト表示領域２１に表示することもできる。さらに、専用のマークと文字列とを表示することもできる。図２１に示す例も、（ａ）は、横長表示状態における表示態様、（ｂ）は（ａ）の状態から縦長表示状態に切り替えたときの表示態様を示している。横長表示状態における表示部２ａの表示画面には、実施の形態５と同様にピクト表示領域２１及びテレビ画像表示領域２２が形成され、テレビ画像表示領域２２に表示画面の短手方向を上下方向としてテレビ画像が表示される。そして、受信したデータ放送用データに基づいて誘導情報が生成された場合には、図２１（ａ）に示すように、その誘導情報を示す専用のマークがピクト表示領域２１に表示される。
【０１１４】
実施の形態８．
実施の形態６では、放送局が、ユーザが視聴しているテレビ放送の内容に対応したデータ放送の提供を望む場合の一例として、テレビ放送で車のコマーシャルが放送されているときに、放送局からコマーシャル中の新車情報を提供したいというイベントメッセージが送られてきて、誘導情報が横長表示状態の表示画面に表示され、このとき表示画面が横長表示状態から縦長表示状態に切り替えられることにより、コマーシャル中の新車情報のページデータが表示されるようにした。
【０１１５】
これに対し、実施の形態８では、図２２に示すように、図２２に示すように、テレビ放送でクイズ番組が放送されているときに、放送局からその時に出題された問題に関するヒントをデータ放送で提供したいというイベントメッセージが送られてきて、問題のヒントを提供したいという誘導情報が横長表示状態の表示画面に表示される。誘導情報が表示されている表示画面が横長表示状態から縦長表示状態に切り替えられることにより、クイズ番組において出題されている問題のヒントのページデータが表示される。なお、実施の形態７の上記誘導情報の表示、および、上記ページデータの表示は、実施の形態６と同じ制御で行うので、説明を省略するものとする。
【０１１６】
実施の形態９．
また、放送局が、ユーザが視聴しているテレビ放送の内容に対応したデータ放送の提供を望む場合の他の一例として、実施の形態９を図２３に基づいて説明する。実施の形態９では、テレビ放送でレストランの紹介番組を放送しているときに、放送局から、その時に放送されているレストランの情報、例えば、クーポンを取得できる旨をデータ放送で提供したいというイベントメッセージが送られてきて、そのレストランの誘導情報が横長表示状態の表示画面に表示される。誘導情報が表示されている表示画面が横長表示状態から縦長表示状態に切り替えられることにより、そのとき放送されているレストランのホームページのページデータが表示されるようになっている。このとき、ページデータのクーポン券に対応する文字列にカーソル２６が合わせられる。実施の形態９の誘導情報の表示は、上記実施の形態６と同じ制御で行い、上記ページデータのクーポン券に対応する文字列にカーソル２６が合わせられる制御は、実施の形態２の図１０で説明した制御と同じ制御を行うので、説明を省略するものとする。
【０１１７】
また、放送局がユーザに提供したい他の情報としては、野球中継をテレビ放送しているときに、選手が映っている映像が放送されている間、この選手のプロフィールをデータ放送により得られるように誘導情報を表示画面に表示するなど、テレビ映像とリンクさせた情報を誘導情報として表示画面に表示することができる。
【０１１８】
上記実施の形態５〜９では、イベントメッセージに基づいて、誘導情報を横長表示状態の表示画面に表示させる場合、携帯電話機でテレビ放送を受信して、テレビ画像のみを表示画面に表示させている間も、ブラウザを起動させるようにしている。そして、ブラウザの起動により、常にイベントメッセージを受信して、ブラウザを用いてこのイベントメッセージに基づいて誘導情報の表示を行うようにしている。
【０１１９】
一方、ブラウザを常時起動させない場合も生じるので、そのような場合は、ブラウザ以外の処理ソフトやモジュールを用いてイベントメッセージを受信しておくようにしてもよい。このとき、表示画面を横長表示状態から縦長表示状態に切り替えたときに、ブラウザを起動させ、ソフトなどで取得したイベントメッセージ中の起動ＵＲＬに対応したページデータを表示画面に表示させるようにする。
【０１２０】
なお、上記した実施の形態５では、横長表示状態で表示されていた上記誘導情報に対応するコンテンツデータを、上記誘導情報が表示されている横長表示状態の表示画面から縦長表示状態の上記表示画面へ切り替えたときに、縦長表示状態の上記表示画面に表示させるか否かを選択する表示選択部６７６を設けた。この表示選択部６７６は、実施の形態５の携帯電話機に限らず、誘導情報または更新情報を表示画面に表示することができる場合には、上記した他の実施の形態による携帯電話機にも適用することができる。
【０１２１】
また、他の表示選択手段として、例えば、携帯電話機の補助機能設定メニューにおいて、更新情報または誘導情報に対応するコンテンツデータを表示する状態（ＯＮ状態）に設定するか、更新情報または誘導情報に対応するコンテンツデータを表示しない状態（ＯＦＦ状態）に設定しておくようにすることもできる。このとき、補助機能設定メニューにおいてＯＦＦ状態を設定したときには、画面切り替え時に、更新情報または提供状態に対応させてコンテンツデータを表示画面しないようにすることができる。
【０１２２】
また、他の表示選択手段として、例えば、横長表示状態の表示画面から、縦長表示状態の表示画面へ移行したときに、コンテンツデータを表示する前に、縦長表示状態の表示画面に更新情報または誘導情報に対応するコンテンツデータを表示するか否かの選択画面を表示させるようにすることできる。
【０１２３】
以上の実施の形態では、横長表示状態の表示画面におけるピクト表示領域２１に更新情報または誘導情報がマーキー表示されるような構成について説明したが、このような構成に限らず、ピクト表示領域２１以外の領域、例えばテレビ画像表示領域２２の一部に重ねて更新情報または誘導情報がマーキー表示されるような構成であってもよい。また、更新情報または誘導情報をマーキー表示するような構成に限らず、表示部２ａの表示画面上で更新情報または誘導情報を移動させずに表示するような構成であってもよい。さらに、更新情報または誘導情報は、図２１（ａ）に示したように、文字列ではなく、専用のマークで表示するようにしてもよいし、文字列とマークとを表示するようしてもよい。
【０１２４】
また、表示状態の切り替えは、表示画面での画像の表示状態を常に横長表示状態とし、表示画面の全画面でテレビ画像を表示する表示状態と、横長表示状態の表示画面を左右に２分割して、左右どちらか一方にテレビ画像を表示し、他方にデータ放送を表示するようにしてもよい。
【０１２５】
また、以上の実施の形態では、表示筐体２が表示部２ａの表示画面に水平な面内で回転されたときに、縦長表示状態及び横長表示状態が切り替わるような構成について説明した。しかし、このような構成に限らず、表示筐体２が所定の態様で変位されたときに縦長表示状態及び横長表示状態が切り替わるような構成であれば本発明を適用できる。例えば地磁気を検出する地磁気センサなどの方向検出手段を用いてユーザに対する表示画面の配置方向を検出し、その検出結果に基づいて縦長表示状態及び横長表示状態が切り替わるような構成が挙げられる。以上のように、横長表示状態の表示画面と縦長表示状態の表示画面の切り替え方法は、筐体の回転やスライド操作に基づいて切り替えるようにしたり、筐体の操作用ボタンでの操作により切り替えるようにしたりしてもよく、任意に設定できる。
【０１２６】
本発明は、図２４及び図２５に示すような表示筐体２が操作筐体５に対して、表示部２ａの表示画面と水平な軸を中心として回転する携帯電話機１にも適用することができる。この場合、例えば、表示筐体２と操作筐体５とを折り曲げたときに表示筐体２の表示部２ａが操作筐体５の操作部４と対向するように、表示筐体２を回転させた状態のときには（図２４の状態）、表示画面を縦長表示状態としてテレビ画像とデータ放送とを表示させ、表示筐体２と操作筐体５とを折り曲げたときに表示筐体２の表示部２ａが外側を向くように、表示筐体２を回転させた状態のときには（図２５の状態）、表示画面を横長表示状態としてテレビ画像と更新情報または誘導情報とを表示させることができる。また、図２４の状態のときに横長表示状態とし、図２５の状態のときに縦長表示状態とすることもできる。
【０１２７】
本発明は、図２６及び図２７に示すような表示筐体２が操作筐体５に対して、表示画面と水平な方向にスライドする携帯電話機１にも適用することができる。この場合、例えば、表示筐体２と操作筐体５との位置が合わされている状態のときには（図２６の状態）、表示画面を横長表示状態としてテレビ画像と更新情報または誘導情報とを表示させ、表示筐体２が操作筐体５に対して長手方向にスライドされている状態のときには（図２７の状態）、表示画面を縦長表示状態としてテレビ画像とデータ放送とを表示させることができる。また、図２７の状態のときに横長表示状態とし、図２６の状態のときに縦長表示状態とすることもできる。
【０１２８】
本発明は、図２８及び図２９に示すような表示筐体２が操作筐体５に対して表示画面と水平な面で回転するようになっており、表示筐体２の長手方向が操作筐体５の長手方向に対して垂直に位置したときに、表示筐体２と操作筐体５とにより筐体全体がＬ字状態となる携帯電話機１にも適用することができる。この場合、例えば、Ｉ字状態となるように、表示筐体２を操作筐体５に対して位置させた状態のときには（図２８の状態）、表示画面を縦長表示状態としてテレビ画像とデータ放送とを表示させ、Ｌ字状態となるように、表示筐体２を操作筐体５に対して回転させた状態のときには（図２９の状態）、表示画面を横長表示状態としてテレビ画像と更新情報または誘導情報を表示させることができる。また、図２８の状態のときに横長表示状態とし、図２９の状態のときに縦長表示状態とすることもできる。
【０１２９】
本発明は、図３０及び図３１に示すような表示筐体２が操作筐体５に対して、表示画面と水平な方向にスライドするとともに、表示筐体２が操作筐体５に対して表示画面と水平な面で回転する携帯電話機１にも適用することができる。この場合、例えば、表示筐体２と操作筐体５との位置が合わされている状態（図３０（ａ）の状態）、および、表示筐体２が操作筐体５に対して長手方向にスライドされている状態（図３０（ｂ）の状態）のときには、表示画面を縦長表示状態としてテレビ画像とデータ放送とを表示させ、筐体全体がＴ状になるように表示筐体２を操作筐体５に対して表示画面と水平な面で回転させた状態（図３１の状態）のときには、表示画面を横長表示状態としてテレビ画像と更新情報または誘導情報とを表示させることができる。また、図３０の状態のときに横長表示状態とし、図３１の状態のときに縦長表示状態とすることもできる。
【０１３０】
本発明は、図３２に示すような表示筐体２が操作筐体５に対して、表示部２ａと操作部４とが対向するように折り畳むだけの携帯電話機１にも適用することができる。この場合、操作部４のボタン操作で、表示画面を横長表示状態としてテレビ画像と更新情報または誘導情報とを表示させ、表示画面を縦長表示状態としてテレビ画像とデータ放送とを表示させるように表示状態を切り替えることができる。
【０１３１】
以上の実施の形態では、携帯電話機１に本発明を適用した場合について説明したが、本発明は、携帯電話機１に限らず、デジタルカメラやポータブルテレビ受像機などの表示画面を有する種々の携帯情報端末装置に適用可能である。
【図面の簡単な説明】
【０１３２】
【図１】本発明の実施の形態１による携帯電話機の一例を示した斜視図であり、筐体を展開した状態を示している。
【図２】図１の携帯電話機の表示筐体を回転させた状態を示した斜視図であり、正面から見て図１の状態から時計回りに約４５°回転させた状態を示している。
【図３】図１の携帯電話機の表示筐体を回転させた状態を示した斜視図であり、正面から見て図１の状態から時計回りに９０°回転させた状態を示している。
【図４】この携帯電話機が適用されるデジタルテレビ放送システムの電気的構成の一例を示したブロック図である。
【図５】本発明の実施の形態１における制御部の一構成例を示した機能ブロック図である。
【図６】本発明の実施の形態１において受信したＴＳパケットに基づいてコンテンツデータを生成する際の態様を示した図である。
【図７】本発明の実施の形態１においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様、（ｃ）は選択したページデータが表示された状態を示している。
【図８】本発明の実施の形態１において横長表示状態でテレビ放送及びデータ放送を受信しているときの制御部による処理の一例を示したフローチャートである。
【図９】本発明の実施の形態２による携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図１０】本発明の実施の形態２における変形例であって、携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図１１】実施の形態２において横長表示状態でテレビ放送及びデータ放送を受信しているときの制御部による処理の一例を示したフローチャートである。
【図１２】本発明の実施の形態３による携帯電話機において受信したＴＳパケットに基づいてコンテンツデータを生成する際の態様を示した図である。
【図１３】本発明の実施の形態３による携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図１４】本発明の実施の形態４による携帯電話機において受信したＴＳパケットに基づいてコンテンツデータを生成する際の態様を示した図である。
【図１５】本発明の実施の形態５による携帯電話機においての制御部の一構成例を示した機能ブロック図である。
【図１６】本発明の実施の形態５において受信したＴＳパケットに基づいてコンテンツデータを生成する際の態様を示した図である。
【図１７】本発明の実施の形態５においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様、（ｃ）は選択したページデータが表示された状態を示している。
【図１８】本発明の実施の形態５において横長表示状態でテレビ放送及びデータ放送を受信しているときの制御部による処理の一例を示したフローチャートである。
【図１９】本発明の実施の形態６による携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図２０】本発明の実施の形態５において横長表示状態でテレビ放送及びデータ放送を受信しているときの制御部による処理の一例を示したフローチャートである。
【図２１】本発明の実施の形態７による携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図２２】本発明の実施の形態８による携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図２３】本発明の実施の形態９による携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図２４】本発明に適用する携帯電話機の他の一例を示した平面図であり、筐体を展開した状態を示している。
【図２５】図２４の携帯電話機の表示筐体を１８０°回転させた後、表示筐体を折り畳んだ状態を示した平面図である。
【図２６】本発明に適用する携帯電話機の他の一例を示した斜視図であり、表示筐体と操作筐体とが重ね合わされた状態を示している。
【図２７】図２６の携帯電話機の表示筐体を操作筐体に対して長手方向にスライドさせた状態を示した斜視図である。
【図２８】本発明に適用する携帯電話機の他の一例を示した平面図であり、筐体を展開した状態を示している。
【図２９】図２８の携帯電話機の表示筐体を９０°回転させた状態を示した平面図である。
【図３０】本発明に適用する携帯電話機の他の一例を示した平面図であり、（ａ）は表示筐体と操作筐体とが重ね合わされた状態を示しており、（ｂ）は、（ａ）の状態の携帯電話機の表示筐体を操作筐体に対して長手方向にスライドさせた状態を示している。
【図３１】図３０（ｂ）の状態の携帯電話機の表示筐体を操作筐体に対して９０°回転させた状態を示した平面図である。
【図３２】本発明に適用する携帯電話機の他の一例を示した平面図であり、筐体を展開した状態を示している。
【符号の説明】
【０１３３】
１  携帯電話機
２  表示筐体
２ａ  表示部
６  制御部
１１  デジタルテレビ放送受信部
１２  回転検出センサ
１３  メモリ
６４  テレビ画像生成部
６５  コンテンツデータ生成部
６７  表示制御部
６７１  テレビ画像表示制御部
６７２  コンテンツデータ表示制御部
６７３  カーソル選択部
６７４  更新情報表示制御部
６９  更新情報生成部
２１，２３  ピクト表示領域
２２，２４  テレビ画像表示領域
２５  データ放送表示領域
３３  マーキーフラグ
３４  マーキー専用文字列
【図１】
2008178065.tif 000003
【図２】
2008178065.tif 000004
【図３】
2008178065.tif 000005
【図４】
2008178065.tif 000006
【図５】
2008178065.tif 000007
【図６】
2008178065.tif 000008
【図７】
2008178065.tif 000009
【図８】
2008178065.tif 000010
【図９】
2008178065.tif 000011
【図１０】
2008178065.tif 000012
【図１１】
2008178065.tif 000013
【図１２】
2008178065.tif 000014
【図１３】
2008178065.tif 000015
【図１４】
2008178065.tif 000016
【図１５】
2008178065.tif 000017
【図１６】
2008178065.tif 000018
【図１７】
2008178065.tif 000019
【図１８】
2008178065.tif 000020
【図１９】
2008178065.tif 000021
【図２０】
2008178065.tif 000022
【図２１】
2008178065.tif 000023
【図２２】
2008178065.tif 000024
【図２３】
2008178065.tif 000025
【図２４】
2008178065.tif 000026
【図２５】
2008178065.tif 000027
【図２６】
2008178065.tif 000028
【図２７】
2008178065.tif 000029
【図２８】
2008178065.tif 000030
【図２９】
2008178065.tif 000031
【図３０】
2008178065.tif 000032
【図３１】
2008178065.tif 000033
【図３２】
2008178065.tif 000034